(57)【特許請求の範囲】
【請求項１】
印刷装置に着脱可能に取り付けられ、前記印刷装置から送り込まれた排版を収納する排版ボックスであって、
送り込まれた排版を前記印刷装置の圧縮手段で圧縮するために前記圧縮手段が入り込む上部開口部と、前記圧縮手段の圧縮方向に対向する位置に設けられた圧縮部と、前記圧縮手段の軌跡に沿った形状を有する底部と、前記圧縮方向と平行な両側面の少なくとも一方に設けられた排版の排出部と、前記圧縮方向と同方向に延在して前記底部に設けられた複数の底部リブと、前記圧縮部に設けられた複数の圧縮部リブとを有する本体と、
前記圧縮部リブのリブ高さより低い位置に入り込む待機位置と、前記圧縮部リブのリブ高さから突出した持ち上げ位置との間で移動可能であり、前記圧縮方向と直交する方向において、前記排出部に近い位置に設けられている版移動部材と、
前記版移動部材を移動させる操作レバーと、
を備えた排版ボックスにおいて、
前記版移動部材が、前記圧縮方向と直交する方向に複数設けられており、前記複数の版移動部材の内、前記排出部に近い位置に設けられた版移動部材は、前記排出部から遠い位置に設けられた版移動部材より、圧縮方向に関する長さが長いことを特徴とする排版ボックス。
【請求項２】
前記圧縮手段の圧縮動作に干渉しない位置において前記上部開口部を覆うカバー部材が設けられ、前記カバー部材は、前記上部開口部を解放する開位置と、前記上部開口部を覆う閉位置との間で開閉移動可能であり、前記操作レバーの操作により、前記版移動部材と連動し、前記上部開口部を開閉することを特徴とする請求項１に記載の排版ボックス。
【請求項３】
前記排版ボックスを前記印刷装置に着脱する着脱機構を有する着脱レバーをさらに有し、
前記操作レバーが、前記着脱レバーの近傍に設けられたことを特徴とする請求項１又は２に記載の排版ボックス。
【請求項４】
前記複数設けられた底部リブは、前記圧縮方向と直交する方向において、前記排出口に近い位置以外に設けられていることを特徴とする請求項１乃至３のいずれか一つに記載の排版ボックス。
【請求項５】
前記複数設けられた底部リブには、圧縮された排版が上部開口部へ戻るのを防止する戻り防止突起部が設けられていることを特徴とする請求項１乃至４のいずれか一つに記載の排版ボックス。
【発明の詳細な説明】
【技術分野】
【０００１】
本発明は、製版済みの印刷版を印刷手段に装着して印刷を行う印刷装置に着脱可能に取り付けられ、印刷手段から除去した使用済みの印刷版（排版）を、印刷装置の圧縮手段で圧縮して収納する排版ボックスに関する。特に本発明は、かかる排版ボックスにおいて、印刷装置から取外した際に、排版の入口側ではなく、排版の圧縮方向について側面側に設けた排出口から排版を捨てることができる排版ボックスに関するものである。
【背景技術】
【０００２】
製版済みの印刷版を印刷手段に装着して印刷を行う印刷装置には、一般に使用済みの印刷版（排版）を収納する排版ボックスを備えている。かかる印刷装置においては、印刷完了後に不要となった排版は、印刷手段から取り外して排版ボックスに圧縮して収納されるようになっており、また排版を廃棄するために排版ボックスは印刷装置に対して着脱自在となっていることが多い。下記特許文献１及び２は、このような従来の排版ボックスを例示するものである。
【０００３】
特許文献１は、弾性を有する一枚の板材を断面略Ｕ字形に折り曲げて成形した一体的な簡易構造の排版ボックスを示すものである。この排版ボックスは、その弾性を利用して印刷装置に対する着脱が行われるようになっており、装着中は前端の隙間が適度に開いて排版を受け入れることができる。印刷装置から取り外す際には手でつかむ力によって前端の隙間が閉止されて排版が外にこぼれ落ちることが防止され、廃棄位置まで運んでから手の力を緩めれば開いた前端の隙間から内部の排版を捨てることができる。
【０００４】
特許文献２は、印刷装置に着脱可能な箱型の本体を有する排版ボックスであり、内部に送り込まれた排版は内部の円周面に沿って移動する圧縮板によって圧縮される。排版を捨てる際は、本体に設けられた本体取手を片手で引張って印刷装置の手前側に引き出して取り外し、その後に他方の手で他の取手を操作して本体の内部で押し出し部材を移動させ、これによって版の受け入れ方向と直交する側に向けて排版を本体内から外へ押し出して廃棄する。
【特許文献１】特開２００２−９６５４２号公報
【特許文献２】特開平１１−１９８５１２号公報
【発明の開示】
【発明が解決しようとする課題】
【０００５】
特許文献１に記載の排版ボックスによれば、前述したように印刷装置に対する着脱を片手で行うことができ、さらに排版ボックスをつかむ力を抑えて前方の開口を開けば入口側から排版を排出して捨てることができる（このように排版の受け入れ方向と逆方向に捨てることを「横捨て」と呼ぶ。）。しかしながら、排版が圧縮されることにより、排版張り付きの防止のためにボックス内の表面に設けられたリブの間に食い込んでしまうと、前方の開口を開いて前方に傾斜させただけでは中の排版が排出されない場合があり、捨て動作の確実性に問題が生じる場合があった。
【０００６】
また、この排版ボックスは一枚板をＵ字形に曲げて形成した簡易構造であり、その弾性と操作者の握力のバランスによって印刷装置に対する着脱を行ったり、取り外し時に排版がこぼれないようにする構造であるため、使用者の手加減によっては印刷装置に対する着脱が適正に行われなかったり、取り外し時に排版がこぼれてしまう恐れがあった。
【０００７】
なお、この排版ボックスは一枚板をＵ字形に成形しているので両側面は開口しており、この開口から排版を排出して捨てることも考えられる（このように排版の受け入れ方向とは異なる間口の狭い側面側の開口から捨てることを「縦捨て」と呼ぶ。）。しかしながら、前述したように排版が圧縮され、排版張り付きの防止のためにボックス内の表面に設けられたリブの間に食い込んでしまうと、リブが延設された長手方向と直交する方向に捨てる縦捨ては横捨てよりも一層抵抗が大きく、実際には行うことができなかった。
【０００８】
特許文献２に記載の排版ボックスによれば、前述したように排版を捨てる際は、本体に設けられた本体取手を片手で引張って印刷装置の手前側に取り外し、その後に他方の手で他の取手を操作して排版を本体内から外へ押し出して廃棄する。このように、この排版ボックスによれば、排版をボックス外に捨てるためには、必ず両手を使用しなければならず、操作が煩雑であるという問題があった。
【０００９】
本発明は、以上の課題に鑑みてなされたものであり、簡易な構造でありながら、排版を取りこぼすことなく片手で容易に印刷装置から取り外し、そのまま片手による簡易な操作によって排版の引っ掛かりを生じることなく円滑に縦捨てを行うことができ、その後の印刷装置に対する装着も片手で容易に行うことができる使い勝手の良好な排版ボックスを提供することを目的としている。
【課題を解決するための手段】
【００１０】
請求項１に記載された排版ボックスは、
印刷装置に着脱可能に取り付けられ、前記印刷装置から送り込まれた排版を収納する排版ボックスであって、
送り込まれた排版を前記印刷装置の圧縮手段で圧縮するために前記圧縮手段が入り込む上部開口部と、前記圧縮手段の圧縮方向に対向する位置に設けられた圧縮部と、前記圧縮手段の軌跡に沿った形状を有する底部と、前記圧縮方向と平行な両側面の少なくとも一方に設けられた排版の排出部と、前記圧縮方向と同方向に延在して前記底部に設けられた複数の底部リブと、前記圧縮部に設けられた複数の圧縮部リブとを有する本体と、
前記圧縮部リブのリブ高さより低い位置に入り込む待機位置と、前記圧縮部リブのリブ高さから突出した持ち上げ位置との間で移動可能であり、前記圧縮方向と直交する方向において、前記排出部に近い位置に設けられている版移動部材と、
前記版移動部材を移動させる操作レバーと、
を備えた排版ボックスにおいて、
前記版移動部材が、前記圧縮方向と直交する方向に複数設けられており、前記複数の版移動部材の内、前記排出部に近い位置に設けられた版移動部材は、前記排出部から遠い位置に設けられた版移動部材より、圧縮方向に関する長さが長いことを特徴としている。
【００１３】
請求項２に記載された排版ボックスは、請求項１に記載の排版ボックスにおいて、
前記圧縮手段の圧縮動作に干渉しない位置において前記上部開口部を覆うカバー部材が設けられ、前記カバー部材は、前記上部開口部を解放する開位置と、前記上部開口部を覆う閉位置との間で開閉移動可能であり、前記操作レバーの操作により、前記版移動部材と連動し、前記上部開口部を開閉することを特徴としている。
【００１４】
請求項３に記載された排版ボックスは、請求項１又は２に記載の排版ボックスにおいて、
前記排版ボックスを前記印刷装置に着脱する着脱機構を有する着脱レバーをさらに有し、
前記操作レバーが、前記着脱レバーの近傍に設けられたことを特徴としている。
【００１６】
請求項４に記載された排版ボックスは、請求項１乃至３のいずれか一つに記載の排版ボックスにおいて、
前記複数設けられた底部リブは、前記圧縮方向と直交する方向において、前記排出口に近い位置以外に設けられていることを特徴としている。
【００１７】
請求項５に記載された排版ボックスは、請求項１乃至４のいずれか一つに記載の排版ボックスにおいて、
前記複数設けられた底部リブには、圧縮された排版が上部開口部へ戻るのを防止する戻り防止突起部が設けられていることを特徴としている。
【発明の効果】
【００１９】
請求項１に記載された排版ボックスによれば、操作者が片手で本体をつかんで印刷装置から取り外し、本体を持っている手で操作レバーを操作すれば、排版を側面の排出部から外に出して捨てる縦捨てを行うことができる。すなわち、仮に排版が本体内の底部リブや圧縮部リブに食い込む等、本体を傾けても排版が排出部の方に移動し得ない状態であったとしても、操作レバーを操作すれば版移動部材が本体内で圧縮部リブの間から突出する方向に移動して底部リブや圧縮部リブに絡みついた排版を持ち上げ、排版を底部リブや圧縮部リブから剥がすことができるので、その後排出部が下方になるように本体を傾ければリブから浮き上がった排版は抵抗なく排出部から外に向けて排出される。そして、排版を排出した後、そのまま当該片手で持ちながら排版ボックスを印刷装置に装着することができるために極めて使い勝手が良い。
また、縦捨ての際の排版の出口である排出部に近い位置に版移動部材があるので、縦捨てしようとした場合に排版が排出部付近で本体内の底部リブや圧縮部リブに食い込んでいても、これを持ち上げて底部リブや圧縮部リブから引き剥がし、縦捨てすることができる。すなわち、操作レバーを操作することにより、少なくとも排出部付近で排版を底部リブや圧縮部リブから持ち上げておけば、縦捨てのために排出部が下になるように本体を傾けると、持ち上げられて本体に対する引っ掛かりがなくなった排版の先端が抵抗なく移動して排出部から外に出ることができるので、排版の全体が自重により移動して円滑に排出部から排出される。
さらに、圧縮方向と直交する方向に関して複数の位置に版移動部材が設けられている場合において、縦捨ての際の排版の出口である排出部に近い位置にある版移動部材の圧縮方向の長さが、より遠い位置にある版移動部材の圧縮方向の長さよりも大きくなっている。従って、縦捨てしようとした場合に排版が本体内の底部リブや圧縮部リブに食い込んでいても、操作レバーを操作すれば、底部リブや圧縮部リブに食い込んだ排版に対しては排出部に近い位置にある版移動部材が先に接触し、排出部に近い版移動部材が排出部に近い位置で先に排版を底部リブや圧縮部リブから持ち上げ、その持ち上げ量も排出部に近い方が大きい。従って、縦捨て時に操作レバーを操作して排出部付近で排版を底部リブや圧縮部リブから先により大きく持ち上げておけば、縦捨てのために排出部が下になるように本体を傾けると、持ち上げられて本体に対する引っ掛かりがなくなった排版の先端が抵抗なく移動して排出部から外に出ることができるので、排版の全体が自重により移動して円滑に排出部から排出される。
【００２２】
請求項２に記載された排版ボックスによれば、排版ボックスが印刷装置に取り付けられている状態では、印刷装置の圧縮手段の圧縮動作に干渉しない位置でカバー部材が本体の上部開口部を覆っているので、印刷装置の圧縮手段は排版ボックス内で排版を支障なく圧縮することができる。また、排版ボックスを印刷装置から取り出して縦捨て動作に移るまでは、カバー部材は上部開口部を覆う閉位置にあり、カバー部材が本体の内部に収納された排版を上から押さえるので、排版が外にこぼれるおそれがない。また、すなわち印刷装置から取り外して縦捨てしようとする時には、操作レバーの操作により、版移動部材の移動に連動し、上部開口部を解放する開位置に移動して排版に対する押さえを解除するので、排出口から排版が落下する縦捨てを容易に行わしめる効果がある。
なお操作レバーの操作時には、版が本体内に送り込まれてくる上部開口部の先方部が下になるように本体を傾斜させることにより、排版の受け入れ方向（又は圧縮方向）と逆方向に排版を移動させて入口から排出する横捨てを行うこともできる。
【００２３】
請求項３に記載された排版ボックスによれば、操作者が本体を把持しながら着脱レバーを片手で操作することにより、着脱機構が印刷装置から外れて本体を印刷装置から簡単に取り外すことができる。その後、本体を保持したまま、着脱レバーの近傍に設けられた操作レバーを当該片手で操作するとともに排出口が下となるように本体を傾ければ、排版を底部リブや圧縮部リブから浮き上がらせて本体側面の排出部から外部に一挙に縦捨てすることができる。このように、片手による一連の動作で印刷装置にロックされた本装置を取り外し、排版を底部リブや圧縮部リブから浮き上がらせて側面の排出部から圧縮方向と直交する方向に一挙に排出する動作を円滑に行うことができる。
【００２５】
請求項４に記載された排版ボックスによれば、縦捨ての際の排版の出口である排出部に近い位置には圧縮方向と平行な底部リブがないので、排出口から排版がで易く、縦捨てを容易に行わしめる効果がある。
【００２６】
請求項５に記載された排版ボックスによれば、底部リブに戻り防止突起部が設けられているので、圧縮された排版が上部開口部へ戻るのが防止される。
【発明を実施するための最良の形態】
【００２８】
１．第１実施形態（図１〜図１５）
図１及び図２は、本例の排版ボックスが装着される孔版印刷装置の全体斜視図であり、図１は排版ボックスが装着された状態、図２は排版ボックスを取り外した状態をそれぞれ示している。図３は、本例の排版ボックスを前方から見た斜視図であり、図４は、本例の排版ボックスの本体の斜視図であり、図５は、本例の排版ボックスのカバー部材の斜視図であり、図６は、本例の排版ボックスのカバー部材等が開いた状態を前方から見た斜視図であり、図７は、印刷装置に対してロック状態にある本例の排版ボックスを後方から見た斜視図であり、図８は、印刷装置に対してロック状態にある本例の排版ボックスの平面図であり、図９は、印刷装置に対するロックが解除された状態にある本例の排版ボックスを後方から見た斜視図であり、図１０は、印刷装置に対するロックが解除された状態にある本例の排版ボックスの平面図であり、図１１は、印刷装置から引き出し可能な状態にある本例の排版ボックスを後方から見た斜視図であり、図１２は、印刷装置に取り付けられた本例の排版ボックスにおいて圧縮手段が動作していない状態を示す正面側から見た断面図であり、図１３は、印刷装置に取り付けられた本例の排版ボックスにおいて圧縮手段が動作している状態を示す正面側から見た断面図であり、図１４は、印刷装置から取り外した本例の排版ボックスを示す正面側から見た断面図であり、図１５は、印刷装置から取り外した本例の排版ボックスにおいて排版の廃棄時にカバー部材等を開いた状態を示す正面側から見た断面図である。
【００２９】
本例の構成について説明する。
詳細な内部構造は図示しないが、図１及び図２に示す孔版印刷装置１（印刷装置１）は、原稿画像を読み取る読取部と、読取部で取得した画像データによって孔版原紙に画像を穿孔して印刷版を作成する製版部と、製版された印刷版が巻装されて回転駆動される印刷ドラムと、給紙台４の上に積載された印刷用紙を印刷ドラムに供給する給紙部と、印刷ドラムで画像が印刷された印刷用紙を排出して排紙台上に積載する排紙部と、使用済みの印刷版を印刷ドラムから剥がすとともに、これを排版ボックス５に送り込んで圧縮する排版手段とを有している。
【００３０】
この排版手段は、図１２及び図１３に示すように、搬送手段２と圧縮手段３から構成される。搬送手段２は、互いに平行に配設された複数本の軸に設けられた複数種類・複数個のローラにベルトを掛け回し、図示しない印刷ドラムから剥ぎ取った排版を排版ボックス５に送り込む機能を有する。圧縮手段３は、排版の送り込み方向と直交する水平な駆動軸３ａに適宜間隔で配置された複数本のアーム状の部材であり、図１２に示すように排版ボックス５外で右向きとされた状態から、図１３に示すように排版ボックス５内で下向きとなった状態まで約９０度の角度を回動することにより、排版ボックス５内で排版Ｓを後方に送りながら圧縮する機能を有する。なお、図１２及び図１３において６は印刷装置１に設けられた戻り防止部材であり、圧縮後に圧縮手段３が前方に戻る際に排版Ｓが排版ボックス５の外に逆流しないように設けられている。
【００３１】
図１に示すように、排版ボックス５は、孔版印刷装置１の給紙台４が設けられている筐体の側面の上部に取り付けられており、排版Ｓが満杯になった場合やメンテナンス時には、後述する機構により使用者が片手のワンタッチ動作で図２に示すように印刷装置１から取り外すことができる。
【００３２】
図３に示す本例の排版ボックス５は、排版Ｓを収納する箱体である本体７と、その上面側に揺動自在に取り付けられたカバー部材８と、カバー部材８と一体に構成された版移動部材９と、カバー部材８と版移動部材９を操作するための操作レバー１０と、本体７に設けられて印刷装置１に対する係合と離脱を操作する着脱レバー１１等を有している。以下、各構成部分ごとに構造と作用を説明する。
【００３３】
図３及び図４に示すように、本体７は、底板１２と、大きさの異なる一対の側板（右側板１３、左側板１４）と、後板１５から構成された筐体である。本体７の前面の一部及び上部は、送り込まれた排版を圧縮するために印刷装置の圧縮手段が入り込む上部開口部３０として開放されている。本体７の底部である底板１２は、後方の平板部１２ａと、圧縮手段の軌跡に沿った形状を有する前方の曲板部１２ｂから構成されている。一対の側板は、圧縮手段の圧縮方向と平行であり、底板１２の平板部１２ａから垂直に立ち上がって本体７の右側面を閉止するとともに本体７の前面の開口の一側を区画する右側板１３と、底板１２の平板部１２ａから垂直に立ち上がり本体７の左側面の一部分を排版Ｓの縦捨て用の排出部である排出口１６として区画する左側板１４からなる。後板１５は、圧縮手段の圧縮方向に対向し、かつ両側板１３，１４及び底板１２と垂直となるように設けられた板部であり、本体７の内部において圧縮手段と協働して排版を受け止め、これを圧縮するための圧縮部である。なお、後板１５の外面（本体７の後面）には操作者が保持するための手掛かりとなる把持部１７が突出して設けられている。
【００３４】
本体７の底部である底板１２の内面には、送り込まれて圧縮された排版Ｓが貼り付くのを防止するために、圧縮手段３による排版Ｓの圧縮方向と平行に多数枚の底部リブ１８ａが形成されている。底板１２の曲板部１２ｂに設けられた底部リブ１８ａは、排版Ｓが貼り付くのを防止するだけでなく、本体７内で回動する圧縮手段３が間に入り込んで回動することにより、排版Ｓを確実に後方に押し込んで圧縮する作用を補助する機能も有している。
【００３５】
また、本体７の底板１２の平板部１２ａには、圧縮方向に平行な方向の底部リブ１８ａと、さらに直交する方向のリブ１９が設けられている。しかしながら、縦捨ての際に排版Ｓが外に出る排出口１６の付近においては、排版Ｓの抵抗を減少させるために、圧縮方向に平行な方向（すなわち排版Ｓの排出方向と交叉する方向）の底部リブ１８ａは設けられておらず、圧縮方向に直交する方向（すなわち排版Ｓの排出方向に平行な方向）のリブ１９だけが設けられている。
【００３６】
また、本体７の圧縮部である後板１５の内面には、排版Ｓが貼り付くのを防止するために、圧縮手段３による排版Ｓの圧縮方向と平行に多数枚の圧縮部リブ１８ｂが形成されている。
【００３７】
また、底板１２の曲板部１２ｂに設けられた底部リブ１８ａには、一部に上方に向いた戻り防止突起部２０が設けられており、圧縮手段３によって圧縮されながら後方に送られた排版Ｓが、圧縮手段３の前方への回帰に伴って前方に連れ戻されることがないように構成されている。
【００３８】
さらに、底板１２の曲板部１２ｂの前端には、排版Ｓの入口に臨んで戻り防止爪２１が底部リブ１８ａの間隔よりも大きい適宜間隔で底部リブ１８ａ，１８ａ間に配置されており、印刷装置１側に設けられた前記戻り防止部材６と共に、圧縮後に圧縮手段３が前方に戻る際に排版Ｓが排版ボックス５の外に逆流しないようになっている。
【００３９】
図３及び図５に示すように、本体７の内部及び上部開口部３０には、一体に構成されたカバー部材８と版移動部材９と操作レバー１０が、回動操作可能に取り付けられている。
【００４０】
図５に示すカバー部材８は、図３に示すように本体７の上部開口部３０に設けられており、回動軸２２を介して一対の側板１３，１４の間に取り付けられて上部開口部３０の後方部分を覆う板部２３と、板部２３の前縁から前方に突出して設けられ、上部開口部３０の前方部分の一部に配置される２本のアーム部２４とを有している。また、カバー部材８の板部２３の後縁中央には、操作レバー１０が後方に突出して設けられている。なお、詳細は図示しないが、回動軸２２には付勢手段が介装されており、操作レバー１０を押し下げない非操作時には、カバー部材８は付勢手段で下方に付勢されて板部２３が上部開口部３０の後方部分を閉止し、アーム部２４が水平な状態で上部開口部３０の前方部分の一部を上側から覆っている。
【００４１】
従って、カバー部材８は、図３に示すように操作レバー１０の非操作時には、本体７の上面の上部開口部３０を閉止し、内部に収納された排版Ｓを押さえて排版Ｓをこぼれにくい状態にする位置に設定される。また、カバー部材８は、図６に示すように操作レバー１０の操作時には、本体７から離れる上方向に回動して本体７の上部開口部３０を開き、本体７の内部に収納された排版Ｓが排出口１６や上部開口部３０から外部に排出されやすくする。
【００４２】
図５に示す版移動部材９は、カバー部材８の板部２３の下面側にほぼ垂直に延設されており、前面側を凹部とする水平断面略コ字形の部材であり、本例では適宜間隔で合計４個の版移動部材９が設けられている。図３に示すように、後板１５の内面に形成された圧縮部１８ｂには、部分的に上下方向の高さの小さいものが適宜間隔で４箇所あり、空所を形成している。版移動部材９は、この空所に配置されており、本体７の内部において圧縮部リブ１８ｂのリブ高さより低い位置に入り込む図中後方の待機位置と、圧縮部リブ１８ｂのリブ高さから突出した図中前方の持ち上げ位置との間で移動可能とされている。
【００４３】
従って、版移動部材９は、図３に示すように操作レバー１０の非操作時には本体７の内部において後板１５の圧縮部リブ１８ｂ，１８ｂの間に隠れており、図６に示すように操作レバー１０の操作時には揺動して圧縮部リブ１８ｂ，１８ｂの間から前方に突出し、圧縮部リブ１８ｂ及び底部リブ１８ａに食い込んだ排版Ｓを持ち上げて引き剥がす。
【００４４】
図７〜図１１に示すように、本体７には、印刷装置１に係合可能な着脱機構である鉤爪状の係合部材２５を操作し、係合部材２５の印刷装置１に対する係合と離脱を操作する着脱レバー１１が設けられている。着脱レバー１１は、排版ボックス５の全幅に相当する長手部材であり、把持部１７の上方において本体７の後板１５の外面（本体７の後面）に回動可能に設けられており、係合部材２５は着脱レバー１１の一側部に取り付けられている。なお、図７に示すように、前記操作レバー１０は、この着脱レバー１１の中央部の上方の近傍に設けられており、把持部１７を片手で把持して操作する際、着脱レバー１１と操作レバー１０は同じ片手の指で容易に操作することができる。
【００４５】
また、着脱レバー１１の一側部の上面には、スライドレバー２６でロック部材２７を出没させる構造のロック機構が設けられている。排版ボックス５を印刷装置１に取り付けて係合部材２５を印刷装置１側に係合させ、スライドレバー２６をロック側に操作してロック部材２７を印刷装置側に掛ければ、このロック部材２７を外さない限り着脱レバー１１を握って係合部材２５を外しただけでは排版ボックス５を印刷装置１から外すことはできない。
【００４６】
次に、本例における作用について説明する。
図１に示すように、排版ボックス５を印刷装置１の所定位置に装着すると、印刷装置１内において排版Ｓに関与する排版ボックス５と排版手段の各状態乃至相互配置は図１２に示すようになる。すなわち、操作レバー１０が押されていないので、カバー部材８は本体７の上部開口部３０を覆っており、版移動部材９は本体７内において後板１５の圧縮部リブ１８ｂ，１８ｂの間に隠れている。また、印刷装置１の搬送手段２は、排版ボックス５の上部開口部３０の前方部に配置されており、印刷装置１の戻り防止部材６は、排版ボックス５の戻り防止爪２１と交互に並び、排版Ｓが排版ボックス５の外に逆流しないようになっている。また、圧縮手段３は圧縮前の待機位置である排版ボックス５の上方に配置される。
【００４７】
ここで、図１２に示すように、印刷装置１が作動すると、印刷終了後の適当なタイミングで搬送手段２が排版Ｓを排版ボックス５内に送り込んでくる。続けて図１３に示すように、圧縮手段３が作動して排版ボックス５内の排版Ｓを後方に押しながら圧縮していく。ここで、圧縮手段３の先端は、排版ボックス５の底板１２の底部リブ１８ａと入れ子状になっているので、排版Ｓは残さず後方に運ばれ、圧縮部である後板１５との間で確実に圧縮される。
【００４８】
圧縮後、圧縮手段３は手前に回動して待機位置に戻るが、図１２に示すように排版ボックス５の底部リブ１８ａには戻り防止突起部２０が設けられているので、圧縮されて後方に送られた排版Ｓが仮に圧縮手段３に引きずられて前方に戻ったとしても、少なくともこの戻り防止突起部２０に留まり、圧縮手段３の前方への回帰に伴ってさらに前方に戻されることはない。
【００４９】
このような排版Ｓの収納・圧縮を繰り返すうち、排版ボックス５が満杯となる。この満杯は図示しない検知手段によって検知され、印刷装置１の表示部等に警告表示される。使用者は、この警告に応じて排版ボックス５を印刷装置１から取り外し、中の排版Ｓを捨てる作業を行う。
【００５０】
図７及び図８は、排版ボックス５が印刷装置１に装着され、スライドレバー２６及びロック部材２７によりロックされた状態である。このロック状態にある排版ボックス５を印刷装置１から取り外すには、図９及び図１０に示すようにスライドレバー２６を右方に移動させることによりロック部材２７を排版ボックス５側に引き込んでロックを解除し、続けて図１１に示すように片手（手は図示しない）で着脱レバー１１を把持部１７に近づく方向に握って回動させる。これによって、係合部材２５は上方に揺動して印刷装置１から外れるので、そのまま片手で手前に引けば排版ボックス５を印刷装置１から取り外すことができる。
【００５１】
図１４に示すように、印刷装置１から取り外した状態の排版ボックス５においては、圧縮された排版Ｓは底部リブ１８ａ、リブ１９、圧縮部リブ１８ｂの間の凹所に食い込んでおり、またカバー部材８が本体７の上部開口部３０を覆って排版Ｓを上から確実に押さえているので、取外しの動作で加わる程度の力では内部の排版Ｓが外にこぼれてしまうことはない。
【００５２】
図１５に示すように、排版ボックス５を印刷装置１から外した手で持ったまま、着脱レバー１１から指を離し、続けて操作レバー１０を押圧操作する。カバー部材８が上方に移動して排版Ｓの押さえがなくなり、本体７内では版移動部材９が圧縮部リブ１８ｂの間から前方に進出し、下方から排版Ｓを持ち上げるように上方に向けて回動するので、底部リブ１８ａ、リブ１９、圧縮部リブ１８ｂに食い込んでいた排版Ｓを剥ぎ取って移動に抵抗が生じない状態とすることができる。
【００５３】
そして、排版ボックス５を片手で持った状態のまま、側面の排出口１６が下方になるように本体７を傾ければ、図６の矢印Ａの方向に沿って排版Ｓを側面の排出口１６から外に排出する縦捨てを行うことができる。すなわち、仮に排版Ｓが本体７内の底部リブ１８ａ、リブ１９、圧縮部リブ１８ｂに食い込み、本体７を傾けても排版Ｓが排出口１６の方に移動し得ない状態であったとしても、操作レバー１０の操作により版移動部材９で排版Ｓを持ち上げ、排版Ｓを底部リブ１８ａ、リブ１９、圧縮部リブ１８ｂから剥がすことができるので、その後本体７を傾ければ底部リブ１８ａ、リブ１９、圧縮部リブ１８ｂから浮き上がった排版Ｓは抵抗なく排出口１６から外に向けて排出される。
【００５４】
特に本例によれば、縦捨ての際の排出口１６である側面の排出口１６付近では、その他の部分と異なり、圧縮方向に平行な方向の底部リブ１８ａがないので、排版Ｓが底部リブ１８ａに食い込む状況が発生せず、このため版移動部材９によって排版Ｓをリブ１９から剥がす際の排版Ｓの抵抗が少ないから貼り付いていても容易に剥がせる。従って、排出口１６付近の排版Ｓは、本体７を傾けただけで、その他の部分に比べて排出口１６から外に出易く、先端が排出口１６から一旦外に出てしまえば、後方部分は自重で容易に連続して押し出されていくので縦捨てが容易に行える。
【００５５】
排版Ｓを排出した後、本例の排版ボックス５は、そのまま片手で持って印刷装置１に装着することができる。
【００５６】
このように、本例の排版ボックス５によれば、操作者が本体７を把持部１７で把持しながら着脱レバー１１を片手で操作することにより、係合部材２５を印刷装置１から外して印刷装置１から簡単に取り外すことができ、その後本体７を把持部１７で保持したまま、その片手で操作レバー１０を操作しつつ排出口１６を下にして本体７を傾ければ、排版Ｓを底部リブ１８ａ、リブ１９、圧縮部リブ１８ｂから浮き上がらせ、本体７側面の排出口１６から外部に一挙に排出する縦捨てを円滑に実行することができる。
【００５７】
なお操作レバー１０の操作時には、版が本体７内に送り込まれてくる開口が下になるように本体７を傾斜させることにより、図６の矢印Ｂで示すように排版Ｓの受け入れ方向（又は圧縮方向）と逆方向に排版Ｓを移動させて、入口から排出する横捨てを行うこともできる。
【００５８】
２．本体７の変形例（図１６及び図１７）
次に、前述した実施形態の一部を変更した変形例について説明する。
図１６は、図４に示した本体７の構成において、底板１２の曲板部１２ｂの奥側（側板１３側）の底部リブ１８ａのみに排版Ｓの戻り防止用の戻り防止突起部２０を設けた変形例の本体７’を示すものである。縦捨ての際、排出口１６に近い方の底部リブ１８ａに戻り防止突起部２０がなければ、排出の抵抗が減少するので、実施形態に比べて一層縦捨てが円滑に行える効果がある。
【００５９】
図１７は、図４に示した本体７の構成において、底板１２の曲板部１２ｂの底部リブ１８ａを適宜に間引き、排出口１６に近い方は少なく、奥側は多くなるようにした変形例の本体７”を示すものである。縦捨ての際、排出口１６に近い方の底部リブ１８ａが少なければ排出の抵抗が減少するので、実施形態に比べて一層縦捨てが円滑に行える効果がある。
【００６０】
３．版移動部材９の変形例（図１８及び図１９）
次に、前述した実施形態の一部を変更した変形例について説明する。
図１８は、図３に示した構成において、版移動部材９を、圧縮方向と直交する方向（縦捨ての方向）において、排出口１６に相対的に近い位置に２個設け、排出口１６から相対的に遠い位置には設けないこととした変形例の排版ボックス５’である。なお、図１８（ａ）は排版ボックス５’の全体斜視図、同図（ｂ）は一体とされたカバー部材８及び版移動部材９の斜視図である。
【００６１】
この変形例によれば、縦捨ての排出口１６に近い位置だけに版移動部材９があるので、縦捨てしようとした場合に排版Ｓが排出口１６付近で本体７内の底部リブ１８ａ、リブ１９、圧縮部リブ１８ｂに食い込んでいても、これを持ち上げて底部リブ１８ａ、リブ１９、圧縮部リブ１８ｂから引き剥がし、縦捨てすることができる。すなわち、操作レバー１０を操作することにより、排出口１６付近の排版Ｓを底部リブ１８ａ、リブ１９、圧縮部リブ１８ｂから確実に持ち上げることができるので、排出口１６が下になるように本体７を傾けると、持ち上げられて本体７に対する引っ掛かりがなくなった排版Ｓの先端が抵抗なく移動して排出口１６から外に出ることができ、排版Ｓの全体が自重により移動して円滑に排出口１６から排出できる。
【００６２】
図１９は、版移動部材９のさらなる変形例である。この版移動部材９は、圧縮方向と直交する方向に関して複数の位置に設けられている点においては実施形態（図３、図５）と同様であるが、排出口１６に相対的に近い位置に設けられている版移動部材９’は、排出口１６に相対的に遠い位置に設けられている版移動部材９よりも、圧縮方向についての寸法（版移動部材９が移動する方向についての長さ）が長いという特徴がある。
【００６３】
この変形例によれば、縦捨てしようとした場合に排版Ｓが本体７内の底部リブ１８ａ、リブ１９、圧縮部リブ１８ｂに食い込んでいても、操作レバー１０を操作すれば、底部リブ１８ａ、リブ１９、圧縮部リブ１８ｂに食い込んだ排版Ｓに対しては排出口１６に近い位置にある版移動部材９’が先に接触し、排出口１６に近い版移動部材９’が排出口１６に近い位置で先に排版Ｓを底部リブ１８ａ、リブ１９、圧縮部リブ１８ｂから持ち上げ、その持ち上げ量も排出口１６に近い版移動部材９’による方が大きい。従って、縦捨て時に操作レバー１０を操作して排出口１６付近で排版Ｓを底部リブ１８ａ、リブ１９から先により大きく持ち上げておけば、縦捨てのために排出口１６が下になるように本体７を傾けると、持ち上げられて本体７に対する引っ掛かりがなくなった排版Ｓの先端が抵抗なく移動して排出口１６から外に出ることができるので、排版Ｓの全体が自重により移動して円滑に排出口１６から排出できる。
【図面の簡単な説明】
【００６４】
【図１】図１は、本例の排版ボックスが装着される孔版印刷装置の全体斜視図であり、排版ボックスが装着された状態を示す図である。
【図２】図２は、本例の排版ボックスが装着される孔版印刷装置の全体斜視図であり、排版ボックスを取り外した状態を示す図である。
【図３】図３は、本例の排版ボックスを前方から見た斜視図である。
【図４】図４は、本例の排版ボックスの本体の斜視図である。
【図５】図５は、本例の排版ボックスのカバー部材の斜視図である。
【図６】図６は、本例の排版ボックスのカバー部材等が開いた状態を前方から見た斜視図である。
【図７】図７は、印刷装置に対してロック状態にある本例の排版ボックスを後方から見た斜視図である。
【図８】図８は、印刷装置に対してロック状態にある本例の排版ボックスの平面図である。
【図９】図９は、印刷装置に対するロックが解除された状態にある本例の排版ボックスを後方から見た斜視図である。
【図１０】図１０は、印刷装置に対するロックが解除された状態にある本例の排版ボックスの平面図である。
【図１１】図１１は、印刷装置から引き出し可能な状態にある本例の排版ボックスを後方から見た斜視図である。
【図１２】図１２は、印刷装置に取り付けられた本例の排版ボックスにおいて圧縮手段が動作していない状態を示す正面側から見た断面図である。
【図１３】図１３は、印刷装置に取り付けられた本例の排版ボックスにおいて圧縮手段が動作している状態を示す正面側から見た断面図である。
【図１４】図１４は、印刷装置から取り外した本例の排版ボックスを示す正面側から見た断面図である。
【図１５】図１５は、印刷装置から取り外した本例の排版ボックスにおいて排版の廃棄時にカバー部材等を開いた状態を示す正面側から見た断面図である。
【図１６】図１６は、本体におけるリブ等の構造についての変形例を示す斜視図である。
【図１７】図１７は、本体におけるリブ等の構造についての他の変形例を示す斜視図である。
【図１８】図１８は、本体における版移動部材の構造についての変形例を示す斜視図である。
【図１９】図１９は、本体における版移動部材の構造についての他の変形例を示す斜視図である。
【符号の説明】
【００６５】
１…孔版印刷装置
３…圧縮手段
５，５’…排版ボックス
７…本体
８…カバー部材
９，９ａ，９ｂ…版移動部材
１０…操作レバー
１１…着脱レバー
１２…本体の底部である底板
１３…右側板
１４…左側板
１５…本体の圧縮部である後板
１６…本体の排出部である排出口
１８ａ…底部リブ
１８ｂ…圧縮部リブ
１９…リブ
２０…戻り防止突起部
２３…板部
２４…アーム部
２５…着脱機構としての係合部材
２６…ロック機構を構成するスライドレバー
２７…ロック機構を構成するロック部材
３０…上部開口部
Ｓ…排版
【図１】
0005058698.tif 000002
【図２】
0005058698.tif 000003
【図３】
0005058698.tif 000004
【図４】
0005058698.tif 000005
【図５】
0005058698.tif 000006
【図６】
0005058698.tif 000007
【図７】
0005058698.tif 000008
【図８】
0005058698.tif 000009
【図９】
0005058698.tif 000010
【図１０】
0005058698.tif 000011
【図１１】
0005058698.tif 000012
【図１２】
0005058698.tif 000013
【図１３】
0005058698.tif 000014
【図１４】
0005058698.tif 000015
【図１５】
0005058698.tif 000016
【図１６】
0005058698.tif 000017
【図１７】
0005058698.tif 000018
【図１８】
0005058698.tif 000019
【図１９】
0005058698.tif 000020